【手続補正書】
【提出日】令和1年8月30日(2019.8.30)
【手続補正１】
【補正対象書類名】特許請求の範囲
【補正対象項目名】全文
【補正方法】変更
【補正の内容】
【特許請求の範囲】
【請求項１】
第１情報表示手段と、
第２情報表示手段と、
複数のリールと、
前記複数のリールを含んだリールユニットと、
前面が開口した遊技機筐体と、
前記遊技機筐体の正面視における左側にヒンジ機構を介して連結され、開閉可能な前扉と
を備え、
前記遊技機筐体の内部には、
前記リールユニットと、
遊技媒体が貯蔵される主タンク部材と、
前記主タンク部材の近傍に設置され、前記主タンク部材から溢れた遊技媒体を貯蔵するための補助タンク部材とが設けられており、
前記主タンク部材の一部には、前記主タンク部材から前記補助タンク部材へ向かって下るスロープ部が設けられており、
前記リールユニットは複数のネジ穴を有しており、
前記複数のネジ穴のうち少なくとも２以上のネジ穴には導電性を有する係止部品が挿通されており、
前記複数のネジ穴に挿通されている係止部品の中で、前記遊技機筐体の正面視における最も右側にある所定の係止部品の鉛直下方に前記補助タンク部材が配置されており、
前記複数のネジ穴に挿通されている係止部品の中で、前記所定の係止部品とは異なる特定の係止部品の鉛直下方に前記スロープ部が配置されており、
前記補助タンク部材が前記遊技機筐体の内部に設置されている状態において、前記補助タンク部材内に貯蔵された遊技媒体が満杯か否かを検知するための第１部材と第２部材とを少なくとも有しており、前記第１部材と前記第２部材との間の距離は前記所定の係止部品の長手方向の長さよりも長くなるよう構成されており、前記第１部材と前記第２部材との間の距離は前記特定の係止部品の長手方向の長さよりも長くなるよう構成されており、
遊技区間として、第１区間と、第２区間とを有し、
第２区間では、第１情報表示手段にストップスイッチの有利な操作態様に関する情報が表示可能となるよう構成されており、
第２区間では、第２情報表示手段にストップスイッチの有利な操作態様に関する情報が表示可能となるよう構成されており、
第２区間であって、内部抽せん手段によって特定抽せん結果が決定された遊技では、指示遊技が実行される場合を有するよう構成されており、
最小遊技時間が経過している所定の状況下でスタートスイッチの操作が受け付けられて実行された内部抽せん手段によって特定抽せん結果が決定された前記指示遊技において、第１情報表示手段にストップスイッチの有利な操作態様に関する情報が表示された後に、第２情報表示手段にストップスイッチの有利な操作態様に関する情報が表示されるよう構成されており、
最小遊技時間が経過していない特定の状況下でスタートスイッチの操作が受け付けられて実行された内部抽せん手段によって特定抽せん結果が決定された前記指示遊技において、第２情報表示手段にストップスイッチの有利な操作態様に関する情報が表示された後に、第１情報表示手段にストップスイッチの有利な操作態様に関する情報が表示される場合を有するよう構成されている
ことを特徴とする遊技機。
【手続補正２】
【補正対象書類名】明細書
【補正対象項目名】０００５
【補正方法】変更
【補正の内容】
【０００５】
本態様に係る遊技機は、
第１情報表示手段と、
第２情報表示手段と、
複数のリールと、
前記複数のリールを含んだリールユニットと、
前面が開口した遊技機筐体と、
前記遊技機筐体の正面視における左側にヒンジ機構を介して連結され、開閉可能な前扉と
を備え、
前記遊技機筐体の内部には、
前記リールユニットと、
遊技媒体が貯蔵される主タンク部材と、
前記主タンク部材の近傍に設置され、前記主タンク部材から溢れた遊技媒体を貯蔵するための補助タンク部材とが設けられており、
前記主タンク部材の一部には、前記主タンク部材から前記補助タンク部材へ向かって下るスロープ部が設けられており、
前記リールユニットは複数のネジ穴を有しており、
前記複数のネジ穴のうち少なくとも２以上のネジ穴には導電性を有する係止部品が挿通されており、
前記複数のネジ穴に挿通されている係止部品の中で、前記遊技機筐体の正面視における最も右側にある所定の係止部品の鉛直下方に前記補助タンク部材が配置されており、
前記複数のネジ穴に挿通されている係止部品の中で、前記所定の係止部品とは異なる特定の係止部品の鉛直下方に前記スロープ部が配置されており、
前記補助タンク部材が前記遊技機筐体の内部に設置されている状態において、前記補助タンク部材内に貯蔵された遊技媒体が満杯か否かを検知するための第１部材と第２部材とを少なくとも有しており、前記第１部材と前記第２部材との間の距離は前記所定の係止部品の長手方向の長さよりも長くなるよう構成されており、前記第１部材と前記第２部材との間の距離は前記特定の係止部品の長手方向の長さよりも長くなるよう構成されており、
遊技区間として、第１区間と、第２区間とを有し、
第２区間では、第１情報表示手段にストップスイッチの有利な操作態様に関する情報が表示可能となるよう構成されており、
第２区間では、第２情報表示手段にストップスイッチの有利な操作態様に関する情報が表示可能となるよう構成されており、
第２区間であって、内部抽せん手段によって特定抽せん結果が決定された遊技では、指示遊技が実行される場合を有するよう構成されており、
最小遊技時間が経過している所定の状況下でスタートスイッチの操作が受け付けられて実行された内部抽せん手段によって特定抽せん結果が決定された前記指示遊技において、第１情報表示手段にストップスイッチの有利な操作態様に関する情報が表示された後に、第２情報表示手段にストップスイッチの有利な操作態様に関する情報が表示されるよう構成されており、
最小遊技時間が経過していない特定の状況下でスタートスイッチの操作が受け付けられて実行された内部抽せん手段によって特定抽せん結果が決定された前記指示遊技において、第２情報表示手段にストップスイッチの有利な操作態様に関する情報が表示された後に、第１情報表示手段にストップスイッチの有利な操作態様に関する情報が表示される場合を有するよう構成されている
ことを特徴とする遊技機である。
＜付記＞
尚、本態様とは異なる別態様について以下に列記しておくが、これらには何ら限定されることなく実施することが可能である。
本別態様に係る遊技機は、
複数のリール（例えば、左リールＭ５１、中リールＭ５２、右リールＭ５３）と、
スタートスイッチ（例えば、スタートレバーＤ５０）と、
複数のストップスイッチ（例えば、左停止ボタンＤ４１、中停止ボタンＤ４２、右停止ボタンＤ４３）と、
情報を表示可能な指示表示部（例えば、押し順表示装置Ｄ２７０）と、
前記スタートスイッチが操作されたことに基づき内部抽せんを行う内部抽せん手段と、
所定の最小遊技時間が経過するまでは、規定数の遊技媒体が賭けられた状況下で前記スタートスイッチが操作されても前記複数のリールの回転開始を待機させる遊技進行待機手段と、
遊技の進行を制御する主制御基板（例えば、主制御基板Ｍ）と、
情報を表示可能な情報表示部（例えば、演出表示装置Ｓ４０）と、
情報表示部への情報の出力を制御する副制御基板（例えば、副制御基板Ｓ）と
を備え、
ストップスイッチの有利な操作態様を有する遊技において、当該有利な操作態様を特定可能な情報を指示表示部に表示する指示遊技と、
指示遊技を実行しない第１区間と、
指示遊技を実行可能な第２区間と
を有し、指示遊技においては、ストップスイッチの有利な操作態様を示唆する操作態様示唆画像を情報表示部に表示可能であり、
第２区間であって、前記内部抽せん手段によって特定役が決定された遊技においては、指示遊技を実行可能に構成されており、
第２区間であり、且つ前記所定の最小遊技時間が経過した後において、規定数の遊技媒体が賭けられた状況下で前記スタートスイッチが操作され、前記特定役が決定された指示遊技においては、指示表示部に前記有利な操作態様を特定可能な情報を表示開始した後に、情報表示部に前記操作態様示唆画像を表示開始するよう構成されており、
第２区間であり、且つ前記所定の最小遊技時間が経過する前において、規定数の遊技媒体が賭けられた状況下で前記スタートスイッチが操作され、前記特定役が決定された指示遊技においては、情報表示部に前記操作態様示唆画像を表示開始した後に、指示表示部に前記有利な操作態様を特定可能な情報を表示開始するよう構成されており、
第２区間であり、前記特定役が決定された指示遊技における前記ストップスイッチの最終停止操作が行われた場合には、指示表示部における前記有利な操作態様を特定可能な情報の表示を終了し、その後、情報表示部における前記操作態様示唆画像の表示を終了するよう構成されている
ことを特徴とする遊技機である。